(57)【特許請求の範囲】
【請求項１】
調整可能なヘッドギア組立体であって：
ヒトの頭部の頭頂部及び後部にわたって適合するよう構成されるヘッドギア部材であって、前記ヘッドギア部材は、ヒトの頭部の耳の上方及び前方の少なくとも一方において位置付け可能である上方側部と、ヒトの頭部の前記耳の下方及びヒトの頭部の前記後部に沿った所の少なくとも一方において位置付けられる下方側部とを有する、ヘッドギア部材と；
一組の上方保定部材であって、前記一組の上方保定部材の一方は、前記上方側部の各々から下方及び前方に延在する、一組の上方保定部材と；
一組の下方保定部材であって、前記一組の下方保定部材の一方は、前記下方側部の各々から前方及び上方に延在する、一組の下方保定部材と；を有し、
前記一組の上方保定部材の各々及び前記一組の下方保定部材の各々は、呼吸インタフェイス装置に係合するよう構成され、
前記上方保定部材の各々は、それぞれの単一部材の第１の部分を有し、前記下方保定部材の各々はそれぞれの前記単一部材の第２の部分を有し、
各それぞれの前記単一部材は、それぞれの前記上方側部及びそれぞれの前記下方側部の一方又は両方に対して調整可能に、前記上方側部と前記下方側部との間に位置する中間部分で前記呼吸インタフェイス装置に摺動可能に係合するよう、結合される、
ヘッドギア組立体。
【請求項２】
前記一組の上方保定部材及び前記一組の下方保定部材は、前記呼吸インタフェイス装置をヒトの頭部において調整可能に保定するよう構成される、
請求項１記載のヘッドギア組立体。
【請求項３】
前記一組の上方保定部材の各々は、５度乃至４０度の角度において下方に延在し、
前記一組の下方保定部材の各々は、５度乃至２５度の角度において上方に延在する、
請求項１記載のヘッドギア組立体。
【請求項４】
上方ストラップ部材の各々が、前記上方側部の夫々一方に対して調整可能に結合される、
請求項１記載のヘッドギア組立体。
【請求項５】
前記上方保定部材の各々は弾性部分を有し、前記下方保定部材の各々は弾性部分を有する、
請求項１記載のヘッドギア組立体。
【請求項６】
前記上方保定部材の各々及び前記下方保定部材の各々は、前記ヘッドギア部材に対して調整可能に結合される、
請求項５記載のヘッドギア組立体。
【請求項７】
各前記単一部材は：
前記上方側部の一方に対して結合される第１の端部と；
前記下方側部の対応する一方に対して調整可能に結合される対向する第２の端部と；を有し、
前記中間部分は、前記第１の端部と前記対向する第２の端部との間に配置される、
請求項１記載のヘッドギア組立体。
【請求項８】
各前記単一部材は：
前記上方側部の一方に対して調整可能に結合される第１の端部と；
前記下方側部の対応する一方に対して結合される対向する第２の端部と；を有し、
前記中間部分は、前記第１の端部と前記対向する第２の端部との間に配置される、
請求項１記載のヘッドギア組立体。
【請求項９】
前記ヘッドギア部材は、第１の端部と対向する第２の端部とを備える第２の調整部材を更に有し、
前記第１の端部は前記上方側部の一方に対して結合され、前記第２の端部は前記下方側部の対応する一方に対して調整可能に結合される、
請求項７記載のヘッドギア組立体。
【請求項１０】
前記第２の調整部材の前記第２の端部は、前記単一部材の前記対向する第２の端部に対して更に結合される、
請求項９記載のヘッドギア組立体。
【請求項１１】
それぞれの前記単一部材の各々は、１つの単一部材の部分を有する、
請求項１記載のヘッドギア組立体。
【請求項１２】
前記単一部材は、前記ヘッドギア部材に対して調整可能に結合される、
請求項１１記載のヘッドギア組立体。
【請求項１３】
前記ヘッドギア部材の前記下方側部の各々は調整可能な部分において終端する上方延在部分を有し、それぞれの該調整可能な部分は、前記上方保定部材の夫々一方に係合する、
請求項１２記載のヘッドギア組立体。
【発明の詳細な説明】
【技術分野】
【０００１】
本願は、２００８年１２月２３日出願の米国仮特許出願第６１／１４０，３０４号の３５Ｕ．Ｓ．Ｃ．§１１９（ｅ）に従った優先権便益を主張するものであり、該仮出願の内容は参照として本願において組み込まれる。
【０００２】
本発明は、概して調整可能なヘッドギア組立体に係り、より特には呼吸インタフェイス装置と連結して使用される調整可能なヘッドギア組立体に係る。
【背景技術】
【０００３】
呼吸インタフェイス装置は、多種の理由で使用される。典型的には、呼吸インタフェイス装置は患者によって吸入される呼吸可能な流体の源に相互接続されるマスク部を有する。かかる装置の例には、麻酔の運搬、非侵襲的換気が含まれ、閉塞型睡眠時無呼吸症候群の治療において患者に陽空気圧を与えるためにも使用される。閉塞型睡眠時無呼吸症候群の治療において、陽空気圧は患者が眠っている間に該患者に与えられる。
【０００４】
したがって、例えば閉塞型睡眠時無呼吸症候群の治療における使用において、マスクの快適性は、患者が眠り得ること及び患者が治療を順守することを確実なものとするために重要である。閉塞型睡眠時無呼吸症候群の治療に対してマスクは、圧力が患者の気道内において保持され得るよう十分な密封を与えなければならない。
【０００５】
典型的な呼吸インタフェイス装置は、丸く膨らんでおり（球状、bulbous）、患者の鼻の大部分を取り囲み且つ患者の顔に係合する。更にかかる装置は典型的に、複数のストラップ及び他の器具を使用して患者の頭部に対して固定される。かかる装置は、呼吸可能な流体をマスクに供給する導管又は他の部材によって装置に加えられる力に対抗することによってマスクの適切な位置合わせを保持するよう、前額支持体（forehead  support）及び関連付けられるストラップを有する、ということが一般的である。かかる装置は、患者の頭部に位置付けて固定するという面倒がある傾向があり、また患者に弊所恐怖作用を与える傾向もある。かかる装置及び関連付けられるヘッドギアの例は、米国特許第５，５１７，９８６号（特許文献１）、米国特許第６，１１９，６９４号（特許文献２）、及び米国特許第７，０６９，９３２号（特許文献３）において見受けられ得る。
【先行技術文献】
【特許文献】
【０００６】
【特許文献１】米国特許第５，５１７，９８６号
【特許文献２】米国特許第６，１１９，６９４号
【特許文献３】米国特許第７，０６９，９３２号
【発明の概要】
【課題を解決するための手段】
【０００７】
一実施例において、本発明は、ヒトの頭の頭頂部及び後部にわたって適合するよう構成されるヘッドギア部材を有する調整可能なヘッドギア組立体を与える。ヘッドギア部材は、ヒトの頭部の耳の上方及び前方の少なくとも一方において位置付け可能である上方側部、及びヒトの頭部の耳の下方及びヒトの頭部の後部に沿う部分の少なくとも一方において位置付け可能である下方側部を有する。ヘッドギア組立体は、一組の上方保定部材及び一組の下方保定部材を更に有し、一組の上方保定部材のうち一方は上方側部の各々から下方及び前方に延在し、一組の下方保定部材のうち一方は下方側部の各々から前方及び上方に延在する。一組の上方保定部材の各々及び一組の下方保定部材の各々は、呼吸インタフェイス装置に係合するよう構成される。
【０００８】
上方保定部材の組及び下方保定部材の組は、呼吸インタフェイス装置をヒトの頭部において調整可能に保定するよう構成され得る。上方保定部材の組の各々は５度乃至４０度の角度において下方に延在し得、下方保定部材の組の各々は、５度乃至２５度の角度において上方に延在し得る。上方保定部材の組の各々は、調整可能に呼吸インタフェイス装置を係合するよう構成されるフックアンドループ部分（hook  and  loop  portion）を備えるストラップ部材を有し得、下方保定部材の組の各々は、調整可能に呼吸インタフェイス装置を係合するよう構成されるフックアンドループ部を備えるストラップ部材を有し得る。
【０００９】
上方保定部材及び下方保定部材は、ヘッドギア部材と一体的に形成され得る。各上方側部は、そこに結合される補強部材を有し得る。上方ストラップ部材の各々は、夫々１つの上方側部に対して調整可能に結合され得る。上方保定部材の各々は弾性部分を有し得、下方保定部材の各々は弾性部分を有し得る。上方保定部材の各々及び下方保定部材の各々は、ヘッドギア組立体部材に対して調整可能に結合され得る。上方弾性部材の一方は単一の弾性部材（unitary  elastic  member）の第１の部分を有し得、下方弾性部材の対応する一方は、単一弾性部材の第２の部分を有し得る。上方保定部材の各々は概して非弾性部分を有し得、下方保定部材の各々は概して非弾性部材を有し得る。上方保定部材の各々は単一部材（unitary  member）の第１の部分を有し得、下方保定部材の対応する一方は単一部材の第２の部分を有し得る。
【００１０】
各単一部材は、上方側部の１つに対して結合される第１の端部、下方側部の対応する一方に対して調整可能に結合される対向する第２の端部、及び呼吸インタフェイス装置に係合するよう構成される、第１の端部と対向する第２の端部との間において配置される中間部分を有し得る。各々単一部材は、上方側部の一方に対して調整可能に結合される第１の端部と、下方側部の対応する一方に対して結合される対向する第２の端部、及び呼吸インタフェイス装置に係合するよう構成される、第１の端部と対向する第２の端部との間において配置される中間部分を有し得る。各単一部材は、上方側部の一方に対して調整可能に結合される第１の端部、下方側部の対応する一方に対して調整可能に結合される対向する第２の端部、及び呼吸インタフェイス装置に係合するよう構成される、第１の端部と対向する第２の端部との間において配置される中間部分を有し得る。
【００１１】
ヘッドギア部材は、第１の端部及び対向する第２の端部を備える第２の調整部材を更に有する。第１の端部は上方側部の一方に対して結合され、第２の端部は下方側部の対応する一方に対して調整可能に結合される。第２の調整部材の第２の端部は、単一部材の対向する第２の端部に対して更に結合される。上方保定部材の他方は弾性部材の第４の部分を有し得、下方保定部材の他方は、単一部材の第３の部分を有し得る。単一部材は、ヘッドギア部材に対して調整可能に結合され得る。下方側部の各々は、調整可能な部分において終端する上方延在部分を有し得、調整可能な部分は上方保定部材の夫々一方に係合する。
【００１２】
本発明の上述及び他の目的、特性、及び特徴、並びに操作の方法、構造において関連される要素の機能、部品の組み合わせ、及び製造の経済性は、添付の図面を参照する以下の説明及び添付の請求項を考察してより明らかとなる。図面は全て本明細書の一部であり、複数の図面にわたって同様の参照符号は対応する部分を指している。しかしながら、図面は図解及び説明を目的とするだけであり、発明の限定を定義するものとして意図されるものではない、ことが明確に理解されるべきである。明細書及び請求項において使用されるように単数で示されるものは、明記していない限りその複数の存在も含まれる。
【図面の簡単な説明】
【００１３】
【図１】ヒトの頭部において位置付けられて図示される本発明の一実施例に従ったヘッドギア組立体の側面図である。
【図２】ヒトの頭部において位置付けられて図示される本発明の他の実施例に従ったヘッドギア組立体の側面図である。
【図３】ヒトの頭部において位置付けられて図示される本発明の他の実施例に従ったヘッドギア組立体の側面図である。
【図４】ヒトの頭部において位置付けられて図示される本発明の他の実施例に従ったヘッドギア組立体の側面図である。
【図５】ヒトの頭部において位置付けられて図示される本発明の他の実施例に従ったヘッドギア組立体の側面図である。
【図６】ヒトの頭部において位置付けられて図示される本発明の他の実施例に従ったヘッドギア組立体の側面図である。
【図７】ヒトの頭部において位置付けられて図示される本発明の他の実施例に従ったヘッドギア組立体の側面図である。
【図８】ヒトの頭部において位置付けられて図示される本発明の他の実施例に従ったヘッドギア組立体の側面図である。
【図９】本発明の実施例に従ったヘッドギア組立体によって鼻インタフェイス装置の先端に加えられる力の概略図である。
【図１０】本発明の実施例に従ったヘッドギア組立体によって口−鼻インタフェイス装置に加えられる力の概略図である。
【発明を実施するための形態】
【００１４】
例えば制限的ではなく、上部、下部、左側、右側、上方、下方、前部、後部、前方、後方、上、及び下、並びにこれらの派生語のような本願において使用される方向に関する記載は、図面において示される要素の向きに関連するものであり、明記されない限り請求項を限定するものではない。
【００１５】
本願で用いられる２つ又はそれより多くの部分又は構成要素が「結合」されるという記載は、部分が直接的に、あるいは１つ又はそれより多くの中間部分又は構成要素を介して、接合されるかあるいは共に作動される、ことを意味するものである。本願で用いられる通り、「数」に関する用語は、１、又は１より大きい整数（即ち複数）を意味するべきものである。
【００１６】
煩雑性がより低い呼吸インタフェイス装置を与えるための１つの潜在的な解決策は、所定の呼吸インタフェイス装置と併せて使用されるヘッドギアに関連付けられるストラップ部及び装着点の量（amount  of  mounting  points）を低減することを試みてきている。しかしながら、２点装着のみを有する大半のヘッドギアは、大半の４点又は３点ヘッドギアに典型的に存在する呼吸インタフェイス装置に作用する上方及び下方の力のベクトルの欠如により、患者における安定的な装着を与えることができない。
【００１７】
本発明は、最大限の安定性を達成する一方で呼吸インタフェイス装置及び関連付けられるヘッドギア組立体の侵襲性を最小限に抑えるよう、二重力ストラッピング接続（dual  force  strapping  connection）を取り入れることによって最低限であるインタフェイスとの２点装着取付け（two-point  mounting  attachment）を維持する。したがって本発明は、弁別的な上方ベクトル及び下方ベクトルにおいて４つの接続力を与える２装着点を有するヘッドギアに係る。結果として、最小限の接触を有するヘッドギアは、鼻の先端の被覆又は口−鼻マスクのいずれかを有する（either  with  tip  of  the  nose  coverage  or  oral-nasal  masks）顔の下方半分に焦点をおく下方装着インタフェイスに対して理想的である最大限の安定性を与える。図９及び１０は夫々、鼻先端装置及び口−鼻マスクに作用する所望される力の例を図示する。本発明は、上方取付けストラップの装着角度θが水平より上方における５度（最小）乃至４０度（最大）である、ことを意図する。
【００１８】
上方ストラップの配置における主な限定は、ユーザの眼角の位置である。下方ストラップの装着角度φは、水平の下方における５度（最小）乃至２０から２５度（最大）である。最小の下方ストラップ範囲は、概して耳朶の位置によって限定される。更に、最大の下方ストラップ範囲は、首の基部によって限定され、ストラップが首において低すぎる場合はこれが患者にとって不快なものとなり、ヘッドギアが滑り落ちる感覚を与える可能性がある。かかる角度範囲は単に例示を目的とするものであり、かかる範囲外の装着角度が特定の用途において用いられてもよい、ことは理解されるべきである。かかる用途において、上方取付けストラップと下方取付けストラップとの間における装着角度を最大限にするよう試みることが望ましい。
【００１９】
図１は、ヒトの頭部８に呼吸インタフェイス装置を調整可能に保定するよう構成される本発明の一実施例に従ったヘッドギア組立体１０の側面図である。ヘッドギア組立体１０は、ヒトの頭部８の頭頂部及び後部にわたって適合するよう構成されるヘッドギア部材１２を有する。ヘッドギア部材１２は、概して各耳の上方及び前方における頭部８のいずれかの側部に位置付けられる一組の上方側部１４（図１においてのみ示される）、及び概して頭部８の後部に沿って位置付けられる一組の下方側部１６を有する。
【００２０】
典型的な一実施例において、上方側部１４及び下方側部１６は、ヘッドギア部材１２と同一の材料から一体的に形成される。本発明の典型的な一実施例によれば、ヘッドギア部材１２は、織り、編み、かぎ針編み、結び紐、フェルト、フォームラミネーション（foam  lamination）等である伸縮性織物又は非伸縮性織物のいずれかを有して作られる。本発明は、以下に記載される通り、例えば非伸縮性のフォームラミネーション部材１２及び保定部材２０及び３０に対する弾性帯等の伸縮性織物のように、１つのヘッドギアにおいて複数の材料を使用することを意図する。更に、かかる材料は通気性があり得る。
【００２１】
更に図１を参照すると、ヘッドギア組立体１０は、一組のストラップ状である上方保定部材２０（図１でのみ示される）及び一組のストラップ状である下方保定部材３０（図１でのみ示される）を更に有する。各上方保定部材２０は、上方側部１４の１つに結合される第１の部分（参照符号無し）及び呼吸インタフェイス装置２６のマスク部分２４のクリップ部材２３に対して調整可能に結合される第２の部分２２を有し、各上方保定部材２０は、上方側部１４の夫々１つからマスク部２４まで概して下方及び前方に延在する。各下方保定部材３０は、下方側部１６の１つに結合される第１の部分（参照番号無し）及びクリップ部材２３に対して調整可能に結合される第２の部分３２を有し、各下方保定部材３０は、下方側部１６の夫々１つからマスク部２４まで概して前方に延在する。本発明は、下方保定部材３０が上方保定部材２０の係合の点又はその点の近くにおいてクリップ部材２３に係合する、ことを意図している。
【００２２】
図１に示される実施例において、上方保定部材２０及び下方保定部材３０はヘッドギア部材１２と一体的に形成される。更に、マスク２４に対する各上方保定部材２０及び各下方保定部材３０の調整可能な結合は、フックアンドループファスナ（面ファスナ）機構（図１に示される通り）又は他の適切な手段の使用を介して達成され得る。
【００２３】
本発明は、例えばヘッドギア部材１２の各側部に与えられて各上方側部１４に実質的に重なる補強部材４０を有することを通して各上方側部１４が補強又は強化される、ことを意図する。各補強部材４０は、限定的ではなくシリコン、ポリウレタン、又はフォーム等である剛性又は半剛性材料から形成され得、織物に限定されない。スティッチ及びパイピング等である幅広い種類の縫製技術は、他の材料を挿入する必要なく枠体（フレーム）を作るために織物を強化するよう使用され得る、ことが理解されるべきである。
【００２４】
図２は、本発明の他の実施例に従ったヘッドギア組立体１１０の側面図である。ヘッドギア組立体１１０は、ヒトの頭部８の頭頂部及び後部にわたって適合するよう構成されるヘッドギア部材１１２を有する。ヘッドギア部材１１２は、前述されたようななんらかの織物又はそれに類似する織物から作られ得る。しかしながら、部材の構造上の本質により、ヘッドギア部材１１２は、硬い非伸縮性織物から作られ得る。ヘッドギア部材１１２は、概して各耳の上方における頭部８の各側部において位置付けられる一組の上方側部１１４（図２においてのみ示される）、及び、概して頭部８の後部に沿って位置付けられる一組の下方側部１１６を有する。典型的な一実施例において、上方側部１１４及び下方側部１１６は、ヘッドギア部材１１２と同一の材料から一体的に形成される。
【００２５】
図２を更に参照すると、ヘッドギア組立体１１０は、一組のストラップ状上方保定部材１２０（図２においてのみ示される）及び一組のストラップ状下方保定部材１３０（図２においてのみ示される）を更に有する。各上方保定部材１２０は、上方側部１１４の一方に対して調整可能に結合される第１の部分１２１、及び呼吸インタフェイス装置１２６のマスク部１２４に対して調整可能に結合される第２の部分１２２を有し、各上方保定部材１２０は、上方側部１１４の夫々一方からマスク部１２４まで概して下方及び前方に延在する。各下方保定部材１３０は、下方側部１１６の一方に対して結合される第１の部分（参照符号無し）及びマスク部１２４に対して調整可能に結合される第２の部分１３２を有し、各下方保定部材１３０は、下方側部１１６の夫々一方からマスク部１２４まで概して前方に延在する。本発明は、下方保定部材１３０が上方保定部材１２０の係合点又はその近くにおいてマスク部１２４に係合する、ことを意図している。
【００２６】
図２に示される実施例において、下方保定部材１３０はヘッドギア部材１１２と一体的に形成される。更に、各上方保定部材１２０及び各下方保定部材１３０の調整可能な結合は、フックアンドループファスナ機構（図２に示される通り）又は他の適切な手段の使用を介して達成され得る。
【００２７】
図３は、本発明の他の実施例に従ったヘッドギア組立体２１０の側面図である。ヘッドギア組立体２１０は、ヒトの頭部８の頭頂部及び後部にわたって適合するよう構成されるヘッドギア部材２１２を有する。本発明は、ヘッドギア部材２１２が織り、編み、かぎ針編み、結び紐、フェルト、フォームラミネーション等である伸縮性織物又は非伸縮性織物のいずれかを有して作られる、ことを意図している。以下に記載される通り、保定部材２２０及び２３０に対する弾性帯のように１つのヘッドギアにおいて複数の材料を使用する、ことは一般的である。更に、かかる材料は通気性があり得る。ヘッドギア部材２１２は、頭部８の各側部において概して各耳の上方に位置付けられる一組の上方側部２１４（図３においてのみ示される）、及び概して頭部８の後部に沿って位置付けられる一組の下方側部２１６を有する。
【００２８】
図３を更に参照すると、ヘッドギア組立体２１０は、一組の上方保定部材２２０（図３においてのみ示される）及び一組の下方保定部材２３０（図３においてのみ示される）を更に有する。各下方保定部材２２０は、上方側部２１４の一方に対して調整可能に結合される第１の部分２２１、及び呼吸インタフェイス装置２２６のマスク部２２４に対し連結される対向する第２の部分２２２を有し、各上方保定部材２２０は、上方側部２１４の夫々一方からマスク部２２４まで概して下方及び前方に延在する。各下方保定部材２３０は、下方側部２１６の一方に対して調整可能に結合される第１の部分２３１、及びマスク部２２４に対して結合される第２の部分２３２を有し、各下方保定部材２３０は、下方側部２１６の夫々一方からマスク部２２４まで概して前方及び上方に延在する。かかる調整可能な連結は、図３中概して隠線で示されるフックアンドループ機構２５０又は他の適切な手段の使用を介して達成され得る。
【００２９】
各上方保定部材２２０は、典型的な一実施例において弾性部分（限定的ではないが弾性のストラップ等）を有する中間部分２２３を更に有する。同様に、各下方保定部材２３０は、典型的な一実施例において弾性部分（限定的ではないが弾性のストラップ等）を有する中間部分２３３を更に有する。本発明は、かかる弾性部分が１５０乃至２００％の範囲における伸張を有するスパンデックスポリエステルを有して形成され得る。
【００３０】
図３中の実施例に更に示される通り、上方及び下方保定部材２２０及び２３０の第１の部分２２１，２３１は、横断方向部材２４０によって共に結合される。更に、第２の部分２２２，２３２はマスク係合部材２３２によって共に結合され、該第２の部分２２２，２３２は概して共通位置においてマスク部分２２４に係合する。
【００３１】
図４は、呼吸インタフェイス装置３２６をヒトの頭部８において調整可能に保定するよう構成される本発明の他の実施例に従ったヘッドギア組立体３１０の側面図である。ヘッドギア組立体３１０は、ヒトの頭部８の頭頂部及び後部にわたって適合するよう構成されるヘッドギア部材３１２を有する。ヘッドギア部材３１２は、頭部８の各側部において概して各耳の上方及び前方に位置付けられる一組の上方側部３１４（図４においてのみ示される）、及び頭部８の後部に沿って各耳から概して下方及び後方に位置付けられる一組の下方側部３１６を有する。典型的な一実施例において、上方側部３１４及び下方側部３１６は、ヘッドギア部材３１と同一の材料からそれと一体的に形成される。本発明は、ヘッドギア部材３１２が織り、編み、かぎ針編み、結び紐、フェルト、フォームラミネーション等である伸縮性織物又は非伸縮性織物のいずれかを有して作られる、ことを意図する。更に、かかる材料は通気性があり得る。
【００３２】
更に図４を参照すると、ヘッドギア組立体３１０は、一組の上方保定部材３２０（図４においてのみ示される）及び一組の下方保定部材３３０（図４においてのみ示される）を更に有する。図４の実施例において、図示される上方保定部材３２０及び下方保定部材３３０は、典型的な一実施例においてコード状部材（限定的ではないがバンジーコード、ナイロンコード等）である単一部材３５０の別個の部分である。単一部材３５０は、上方側部３１４の一方に対して結合される第１の端部３５２、下方側部３１６の対応する一方に対して調整可能に結合される対向する第２の端部３５４、及び第１の端部３５２と対向する第２の端部３５４との間において配置される中間部分３５６を有する。中間部分３５６は、マスク部分３２４の一部３２５に摺動可能に係合するよう構成される。図４に示される通り各上方保定部材３２０は、上方側部３１４の夫々一方からマスク部分３２４に向かって概して下方及び前方に延在する。図４に更に示される通り各下方保定部材３３０は、下方側部３１６の夫々一方からマスク部分３２４まで概して前方及び上方に延在する。
【００３３】
上方側部３１４に剛性を与えるよう、補強部材３４０は、ヘッドギア部材３１２の各側部に与えられ、実質的に各上方側部３１４と重なる。各補強部材３４０は、典型的な一実施例において、限定的ではないがシリコン、ポリウレタン、又はフォーム等のような剛性又は半剛性材料から形成される。スティッチ及びパイピング等である幅広い種類の縫製技術は、枠体を作るために織物を強化するよう使用され得る、ことが理解されるべきである。かかる技術は、補強部材３４０と併せて用いられ得るか、あるいは補強部材３４０の代わりに用いられ得る。
【００３４】
図５は、呼吸インタフェイス装置４２６をヒトの頭部８において調整可能に保定するよう構成される本発明の他の実施例に従ったヘッドギア組立体４１０の側面図である。ヘッドギア組立体４１０は、ヒトの頭部８の頭頂部及び後部にわたって適合するよう構成されるヘッドギア部材４１２を有する。ヘッドギア部材４１２は、頭部８の各側部において各耳の概して上方及び前方に位置付けられる一組の上方側部４１４（図５においてのみ示される）、及び頭部８の後部に沿って各耳から概して下方及び後方に位置付けられる一組の下方側部４１６を有する。典型的な一実施例において、上方側部４１４及び下方側部４１６は、ヘッドギア部材４１２と同一の材料からそれと一体的に形成される。ヘッドギア部材４１２は、典型的な一実施例において織り、編み、かぎ針編み、結び紐、フェルト、フォームラミネーション等である伸縮性織物又は非伸縮性織物のいずれかを有して作られる。更に、かかる材料は通気性にされ得る。
【００３５】
更に図５を参照すると、ヘッドギア組立体４１０は、一組の上方保定部材４２０（図５においてのみ示される）及び一組の下方保定部材４３０（図５においてのみ示される）を更に有する。図５の実施例において、図示される上方保定部材４２０及び下方保定部材４３０は、典型的な一実施例においてコード状部材（限定的ではないがバンジーコード、ナイロンコード等）である単一部材４５０の別個の部分である。単一部材４５０は、ユーザの目に対して上方保定部材４２０の位置付けを調整するよう与えられる複数の位置４６０の１つにおいて上方側部４１４の一方に対して結合される第１の端部４５２を有する。
【００３６】
単一部材４５０は、下方側部４１６の対応する一方に対して調整可能に結合される対向する第２の端部４５４、及び第１の端部４５２と対向する第２の端部４５４との間において配置される中間部分４５６を更に有する。中間部分４５６は、マスク部分４２４の一部分４２５に摺動可能に係合するよう構成される。図５に示される通り各上方保定部材４２０は、上方側部４１４の夫々一方からマスク部分４２４まで概して下方及び前方に延在する。図５に更に示される通り各下方保定部材４３０は、下方側部４１６の夫々一方からマスク部分４２４まで概して前方及び上方に延在する。
【００３７】
上方側部４１４に剛性を与えるよう、補強部材４４０は、ヘッドギア部材４１２の各側部に与えられ、実質的に各上方側部４１４と重なる。各補強部材４４０は、典型的な一実施例において、限定的ではないがEVAコポリマ、ポリエチレン、ポリプロピレン、ポリウレタン、ビニル等である射出成形又は打抜きを介して形成される半剛性ポリマから作られる。
【００３８】
図６は、呼吸インタフェイス装置５２６をヒトの頭部８において調整可能に保定するよう構成される本発明の一実施例に従ったヘッドギア組立体５１０の側面図である。ヘッドギア組立体５１０は、ヒトの頭部８の頭頂部及び後部にわたって適合するよう構成されるヘッドギア部材５１２を有する。ヘッドギア部材５１２は、頭部８の各側部において各耳の概して上方及び前方に位置付けられる一組の上方側部５１４（図６においてのみ示される）、及び頭部８の後部に沿って各耳から概して下方及び後方に位置付けられる一組の下方側部５１６を有する。典型的な一実施例において、上方側部５１４及び下方側部５１６は、ヘッドギア部材５１２と同一の材料からそれと一体的に形成される。ヘッドギア部材５１２は、典型的な一実施例において織り、編み、かぎ針編み、結び紐、フェルト、フォームラミネーション等である伸縮性織物又は非伸縮性織物のいずれかを有して作られる。かかる材料は通気性であり得る。
【００３９】
更に図６を参照すると、ヘッドギア組立体５１０は、一組の上方保定部材５２０（図６においてのみ示される）及び一組の下方保定部材５３０（図６においてのみ示される）を更に有する。図６の実施例において、図示される上方保定部材５２０及び下方保定部材５３０は、典型的な一実施例においてコード状部材（限定的ではないがバンジーコード、ナイロンコード等）である単一部材５５０の別個の部分である。単一部材５５０は、上方側部５１４の一方に結合される第１の端部５５２、下方側部５１６の対応する一方に対して調整可能に結合される対向する第２の端部５５４、及び第１の端部５５２と対向する第２の端部５５４との間において配置される中間部分５５６を有する。中間部分５５６は、マスク部分５２４の一部分５２５に摺動可能に係合するよう構成される。図６に示される通り各上方保定部材５２０は、上方側部５１４の夫々一方からマスク部分５２４まで概して下方及び前方に延在する。図６に更に示される通り各下方保定部材５３０は、下方側部５１６の夫々一方からマスク部分５２４まで概して前方及び上方に延在する。
【００４０】
ヘッドギア部材５１２は、一組の第２の調整部材５６０（図６においてのみ示される）を更に有する。第２の調整部材５６０の各々は、上方側部５１４の一方に対して結合される第１の端部５６２、及び下方側部５１６の対応する一方に対して調整可能に結合される対向する第２の端部５６４を備える。一実施例において、第２の調整部材５６０の各々の対向する第２の端部５５４は、単一部材５５０の対向する第２の端部５５４に対して更に結合される。かかる配置は、２箇所５７０（図６中は一箇所のみ示される）において締め付け又は弛緩することによってヘッドギア組立体５１０の迅速な調整を可能にする、ことが容易に理解され得る。
【００４１】
図７は、呼吸インタフェイス装置６２６をヒトの頭部８において調整可能に保定するよう構成される本発明の一実施例に従ったヘッドギア組立体６１０の側面図である。ヘッドギア組立体６１０は、ヒトの頭部８の頭頂部及び後部にわたって適合するよう構成されるヘッドギア部材６１２を有する。ヘッドギア部材６１２は、頭部８の各側部において各耳の概して上方に位置付けられる一組の上方側部６１４（図７においてのみ示される）、及び各耳の概して下方に位置付けられる一組の下方側部６１６を有する。典型的な一実施例において、上方側部６１４及び下方側部６１６は、ヘッドギア部材６１２と同一の材料からそれと一体的に形成される。ヘッドギア部材６１２は、典型的な一実施例において織り、編み、かぎ針編み、結び紐、フェルト、フォームラミネーション等である伸縮性織物又は非伸縮性織物のいずれかを有して作られる。かかる材料は通気性であり得る。
【００４２】
更に図７を参照すると、ヘッドギア組立体６１０は、各々が上方側部６１４に依存する一組の上方保定部材６２０（図７においてのみ示される）、及び各々が下方側部６１６から概して前方及び上方に延在する一組の下方保定部材６３０（図７においてのみ示される）を更に有する。各下方側部６１６は、典型的な一実施例において、調整可能な部分６７２において終端する上方延在部分６７０を更に有し、該調整可能な部分は、上方保定部材６２０の夫々一方に係合し、ユーザの目（参照番号無し）から離れるよう上方保定部材６２０を概して偏向させ得る。かかる調整可能な部分は、フックアンドループファスナ又は他の適切なファスナを有し得る。
【００４３】
図７の実施例において、一組の上方保定部材６２０の各々及び一組の下方保定部材６３０の各々は、単一部材６５０の別個の部分である。典型的な一実施例においてコード状部材（限定的ではないがバンジーコード、ナイロンコード等）である。単一部材６５０は、ヘッドギア部材６１２の上方後方部分６６０に対して調整可能に結合される部分６５２を備える連続的なループとして図示される。単一部材６５０はまた、２つの端部（図示せず）を備える部材から形成され得、該２つの端部は上方後方部分６６０に対して調整可能に結合される。単一部材６５０は、上方側部６１４の各々及び下方側部６１６の各々においてヘッドギア部材６１２に摺動可能に係合する。更に、単一部材６５０の一部分６５６は、マスク部分６２４の一部分６２５に摺動可能に係合する。
【００４４】
かかる配置は、一箇所６７０において単一部材６５０を締め付け又は弛緩することによってヘッドギア組立体６１０の迅速な調整を可能にする、ことが理解されるべきである。図７は上方後方部分６６０に対して調整可能に結合される単一部材６５０を示すが、かかるヘッドギア部材６１２に対する調整可能な結合は、実質的にどこでもなされ得且つ依然として類似する利点を与え得る、ことが容易に理解され得る。
【００４５】
図８は、呼吸インタフェイス装置７２６をヒトの頭部８において調整可能に保定するよう構成される本発明の一実施例に従ったヘッドギア組立体７１０の側面図である。ヘッドギア組立体７１０は、ヒトの頭部８の頭頂部及び後部にわたって適合するよう構成されるヘッドギア部材７１２を有する。ヘッドギア部材７１２は、頭部８の各側部において各耳の概して前方及び上方に位置付けられる一組の上方側部７１４（図８においてのみ示される）、及び各耳の概して下方に位置付けられる一組の下方側部７１６（図８においてのみ示される）を有する。典型的な一実施例において、上方側部７１４及び下方側部７１６は、ヘッドギア部材７１２と同一の材料からそれと一体的に形成される。ヘッドギア部材７１２は、典型的な一実施例において織り、編み、かぎ針編み、結び紐、フェルト、フォームラミネーション等である伸縮性織物又は非伸縮性織物のいずれかを有して作られる。かかる材料は通気性であり得る。
【００４６】
更に図８を参照すると、ヘッドギア組立体７１０は、一組の上方保定部材７２０（図８においてのみ示される）、及び一組の下方保定部材７３０（図８においてのみ示される）を更に有する。図８の実施例において、図示される上方保定部材７２０及び下方保定部材７３０は、典型的な一実施例においてコード状部材（限定的ではないがバンジーコード、ナイロンコード等）から作られる単一部材７５０の別個の部分である。単一部材７５０は、上方側部７１４の一方に対して調整可能に結合される第１の端部７５２、下方側部７１６の対応する一方に対して調整可能に結合される対向する第２の端部７５４、及び第１の端部７５２と対向する第２の端部との間において配置される中間部分７５６を有する。中間部分７５６は、マスク部７２４の一部７２５に摺動可能に係合するよう構成される。図８に示される通り各上方保定部材７２０は、上方側部７１４の夫々一方から部分７２５に向かって概して下方及び前方に延在する。図８に更に示される通り各下方保定部材７３０は、下方側部７１６の夫々一方から部分７２５まで概して前方及び上方に延在する。
【００４７】
かかる配置は、２箇所７７０における（図８中は一箇所のみ示される）締め付け又は弛緩をすることによってヘッドギア組立体７１０の迅速な調整を可能にする、ことが容易に理解され得る。
【００４８】
本発明の典型的な実施例は、鼻の先端における呼吸インタフェイス装置と併せて本願において説明及び図解されてきたが、本願において開示される概念は口−鼻マスク及び他のマスク組立体に対して容易に適用され得る、ことが容易に理解されるべきである。
【００４９】
本発明は、最も実用的且つ望ましい実施例であると現在考えられるものに基づいて解説することを目的として詳述されてきたが、かかる詳細は単に解説を目的とするものであり、発明は開示された実施例に限定されない一方、添付の請求項の趣旨及び範囲内である修正及び同等の配置を対象とするよう意図される、ことが理解されるべきである。例えば、本発明は、可能な範囲において実施例の１つ又はそれより多くの特性が他の実施例の１つ又はそれより多くの特性と組み合わされ得ることを意図している、ことが理解されるべきである。
【図１】
0005746635.tif 000002
【図２】
0005746635.tif 000003
【図３】
0005746635.tif 000004
【図４】
0005746635.tif 000005
【図５】
0005746635.tif 000006
【図６】
0005746635.tif 000007
【図７】
0005746635.tif 000008
【図８】
0005746635.tif 000009
【図９】
0005746635.tif 000010
【図１０】
0005746635.tif 000011